(57)【要約】いくつかの態様では、ワイヤレス通信を実行するための方法は、ユーザ機器（ＵＥ）のための仮想セルのセットを構成することを含む。セットのうちの１つまたは複数の仮想セルは、パラメータの少なくとも１つのセットと関連付けられる。方法はまた、ＵＥに、１つまたは複数の仮想セルのセットに関する情報を送信することと、同じ仮想セルに対して、ＵＥのうちのいくつかまたはすべてについての同じパラメータのセットに従って動作することとを含む。他の態様では、方法は、ノードから、ユーザ機器（ＵＥ）のための、パラメータのセットと関連付けられた１つまたは複数の仮想セルのセットに関する情報を受信することを含む。方法はまた、ノードと通信することを含む。通信は、仮想セルおよびその関連付けられたパラメータのセットに基づく。【選択図】図５
2016518069.tif 000002
【特許請求の範囲】
【請求項１】
ワイヤレス通信を実行するための方法であって、前記方法は、
１つまたは複数のユーザ機器（ＵＥ）のための１つまたは複数の仮想セルのセットを構成すること、ここにおいて、前記セットのうちの１つまたは複数の仮想セルは、パラメータの少なくとも１つのセットと関連付けられる、と、
前記ＵＥに、前記１つまたは複数の仮想セルの前記セットに関する情報を送信することと、
前記１つまたは複数の仮想セルのセットのうちの同じ仮想セルに対して、前記１つまたは複数のＵＥのうちのいくつかまたはすべてについての同じパラメータのセットに従って動作することと
を備える、方法。
【請求項２】
前記１つまたは複数のＵＥのうちの少なくとも１つによって干渉抑制または干渉キャンセルのうちの少なくとも１つを実行することをさらに含む、
請求項１に記載の方法。
【請求項３】
前記干渉は、前記１つまたは複数の仮想セルのセットの間の少なくとも１つの仮想セルによる制御送信またはデータ送信のうちの少なくとも１つによって生じる、
請求項２に記載の方法。
【請求項４】
前記干渉抑制または干渉キャンセルのうちの少なくとも１つは、セルによる制御送信またはデータ送信のうちの少なくとも１つに対して実行される、
請求項２に記載の方法。
【請求項５】
前記仮想セルのセットを構成することは、ユーザ機器（ＵＥ）固有のやり方またはセル固有のやり方のうちの少なくとも１つにおける前記仮想セルのセットを構成することを含む、
請求項１に記載の方法。
【請求項６】
前記ＵＥ固有のやり方における前記仮想セルのセットを構成することは、前記ＵＥからの基準信号受信電力レポートに基づいて前記仮想セルのセットを構成することを含む、
請求項５に記載の方法。
【請求項７】
前記仮想セルのセットは、１対１ベース、多対１ベース、または１対多ベースのうちの少なくとも１つで仮想セルから物理セルまたは物理パラメータのセットのうちの少なくとも１つにマップすることを含む、
請求項１に記載の方法。
【請求項８】
前記物理パラメータのセットは、
セル固有基準信号ポート、
セル固有基準信号周波数シフト、
エンハンスド物理ダウンリンク制御チャネルまたは物理ダウンリンク共有チャネルのうちの少なくとも１つのための開始シンボル、
１つまたは複数のチャネル状態情報基準信号構成、
キャリアタイプ、
または１つまたは複数の復調基準信号パターン
のうちの少なくとも１つを含む、請求項７に記載の方法。
【請求項９】
前記仮想セルのセットを構成することは、アンテナポート７乃至１４のブラインド検出を許容にするのに十分な程度にユーザ機器（ＵＥ）のために構成される限られた数の前記仮想セルを含む、
請求項１に記載の方法。
【請求項１０】
前記仮想セルのセットを構成することは、少なくとも構成されていないセルのための干渉抑制または干渉キャンセルのうちの少なくとも１つを実行するために、ユーザ機器（ＵＥ）に対してデフォルト行動を指定することを含む、
請求項１に記載の方法。
【請求項１１】
前記デフォルト行動を指定することは、
前記ＵＥが物理セルアイデンティティおよびその関連付けられた物理パラメータに少なくとも基づいて干渉抑制または干渉キャンセルのうちの少なくとも１つを実行するべきであると指定すること、
セル間協調で構成される前記ＵＥが、ＰＤＳＣＨおよび／またはＥＰＤＣＣＨレートマッチングおよび／または擬似コロケーション動作のための構成のセットに基づいて干渉抑制または干渉キャンセルのうちの少なくとも１つを実行するべきであると指定すること
のうちのすくなくとも１つを含む、請求項１０に記載の方法。
【請求項１２】
前記ＵＥが物理セルアイデンティティに少なくとも基づいて干渉抑制または干渉キャンセルのうちの少なくとも１つを実行すべきであると指定することは、前記ＵＥが前記物理セルアイデンティティと関連付けられた前記物理パラメータが有効であるか否かをブランドで検出すべきであると指定することを含む、
請求項１１に記載の方法。
【請求項１３】
前記仮想セルのセットは、制御チャネル、チャネル状態情報基準信号チャネル、およびデータチャネルで使用するために１つの仮想セルのセットを構成することを含む、
請求項１に記載の方法。
【請求項１４】
前記仮想セルのセットを構成することは、
半静的である前記仮想セルのセットを構成すること、
または動的に前記仮想セルのセットを構成すること
のうちの少なくとも１つを含む、請求項１に記載の方法。
【請求項１５】
前記１つまたは複数の仮想セルの前記セットに関する情報を送信することは、ダウンリンク制御情報における前記情報を動的にシグナリングすることを含む、
請求項１４に記載の方法。
【請求項１６】
前記仮想セルのセットを構成することは、前記仮想セルのセットのうちの１つより多くの物理セルと物理セルを関連付けることを含む、
請求項１に記載の方法。
【請求項１７】
前記仮想セルのセットを構成することは、干渉抑制または干渉キャンセルのうちの少なくとも１つを実行するために前記１つまたは複数のＵＥのための２つ以上のパラメータのセットと仮想セルを関連付けることを含む、
請求項１に記載の方法。
【請求項１８】
前記仮想セルのセットを構成することは、レガシーキャリアタイプおよび非レガシーキャリアタイプの両方のための前記仮想セルのセットを構成することを含む、
請求項１に記載の方法。
【請求項１９】
前記仮想セルのセットは、セル内の、干渉抑制または干渉キャンセルのうちの少なくとも１つを取り扱うために同じサービングセルの物理セルアイデンティティに仮想セルをマップすることを含む、
請求項１に記載の方法。
【請求項２０】
前記仮想セルのセットを構成することと合同または別々のうちの少なくとも１つでユーザ機器（ＵＥ）のためのセル間協調を構成することをさらに含む、
請求項１に記載の方法。
【請求項２１】
前記パラメータの少なくとも１つのセットのうちのパラメータの数は、前記仮想セルのセットのうちの前記仮想セルの様々なものについて同じまたは異なるもののうちの少なくとも１つである、
請求項１に記載の方法。
【請求項２２】
前記１つまたは複数の仮想セルのセットのうちの少なくとも１つの仮想セルは、すべてのサブフレームまたは前記サブフレームうちのサブセットのうちの少なくとも１つに適用するために構成される、
請求項１に記載の方法。
【請求項２３】
前記１つまたは複数の仮想セルのセットのうちの少なくとも１つの仮想セルは、全帯域幅または前記全帯域幅のうちの一部分のうちの少なくとも１つに適用するために構成される、
請求項１に記載の方法。
【請求項２４】
ワイヤレス通信を実行する方法であって、
ノードから、ユーザ機器（ＵＥ）のための、１つまたは複数の仮想セルのセットに関する情報を受信すること、ここにおいて、前記仮想セルのうちの１つまたは複数は、パラメータと関連付けられる、と、
前記ノードと通信することと
を備え、前記通信は、前記仮想セルのうちの前記１つまたは複数とその関連付けられたパラメータのセットの間の少なくとも１つの仮想セルに少なくとも部分的に基づく、
方法。
【請求項２５】
前記ＵＥによって干渉抑制または干渉キャンセルのうちの少なくとも１つを実行することをさらに含む、
請求項２４に記載の方法。
【請求項２６】
干渉抑制または干渉キャンセルのうちの前記少なくとも１つは、セルによる制御送信またはデータ送信のうちの少なくとも１つのために実行される、
請求項２５に記載の方法。
【請求項２７】
前記少なくとも１つの仮想セルが１つまたは複数のリソース中に存在するかどうか決定することと、
前記少なくとも１つの仮想セルが存在すると決定された場合に、前記１つまたは複数のリソースにおける前記少なくとも１つの仮想セルによる制御送信またはデータ送信のうちの少なくとも１つによって生じた干渉のための干渉抑制または干渉キャンセルのうちの少なくとも１つを実行することと
をさらに備える、請求項２４に記載の方法。
【請求項２８】
デフォルト行動に従って干渉抑制または干渉キャンセルのうちの少なくとも１つを実行することをさらに含む、
請求項２４に記載の方法。
【請求項２９】
前記デフォルト行動は、前記少なくとも１つの仮想セルが１つまたは複数のリソースに存在していないと決定したときに実行される、
請求項２８に記載の方法。
【請求項３０】
前記デフォルト行動は、物理セルアイデンティティおよびそれに関連する物理パラメータに少なくとも基づいて干渉抑制または干渉キャンセルのうちの少なくとも１つを実行することを含む、
請求項２８に記載の方法。
【請求項３１】
前記デフォルト行動は、前記物理セルアイデンティティと関連付けられた前記物理パラメータが有効であるかどうかブラインドで検出することを含む、
請求項３０に記載の方法。
【請求項３２】
前記デフォルト行動は、セル間協調で構成されたＵＥが、
ＰＤＳＣＨまたはＥＰＤＣＣＨレートマッチングのうちの少なくとも１つのための構成のセット、
または擬似コロケーション動作
のうちの少なくとも１つに基づいて干渉抑制または干渉キャンセルのうちの少なくとも１つを実行することを含む、
請求項２８に記載の方法。
【請求項３３】
現在の仮想セルがそれに関連付けられたパラメータの１つの完全なセットを有するかどうか決定することと、
前記現在の仮想セルがそれに関連付けられたパラメータの完全なセットを有さないと決定することに応じて、少なくとも１つの追加のパラメータを取得することと
をさらに含み、前記少なくとも１つの追加のパラメータは、ブラインド検出を実行することを含む、
請求項２４に記載の方法。
【請求項３４】
前記１つまたは複数の仮想セルのセットは、１対１ベース、多対１ベース、１対多ベースのうちの少なくとも１つで物理セルまたは物理パラメータのセットうちの少なくとも１つにマップされる少なくとも１つの仮想セルを含む、
請求項２４に記載の方法。
【請求項３５】
前記物理パラメータのセットは、
セル固有基準信号ポートの数、
セル固有基準信号周波数シフト、
エンハンスト物理ダウンリンク制御チャネルまたは物理ダウンリンク共有チャネルのうちの少なくとも１つのための開始シンボル、
１つまたは複数のチャネル状態情報基準信号構成、
キャリアタイプ、
または１つまたは複数の復調基準信号パターン
のうちの少なくとも１つを含む、請求項３４に記載の方法。
【請求項３６】
前記１つまたは複数の仮想セルのセットのうちの少なくとも１つの仮想セルは、すべてのサブフレーム、または前記サブフレームのサブセットのうちの少なくとも１つに適用するために構成される、
請求項２４に記載の方法。
【請求項３７】
前記１つまたは複数の仮想セルのうちの少なくとも１つの仮想セルは、全帯域幅または前記全帯域幅の一部分のうちの少なくとも１つに適用するために構成される、
請求項２４に記載の方法。
【請求項３８】
ワイヤレス通信を実行するための装置であって、
１つまたは複数のユーザ機器（ＵＥ）のための１つまたは複数の仮想セルのセットを構成するための手段、ここにおいて、前記セットのうちの１つまたは複数の仮想セルは、パラメータの少なくとも１つのセットと関連付けられる、と、
前記ＵＥに、前記１つまたは複数の仮想セルの前記セットに関する情報を送信するための手段と、
前記１つまたは複数の仮想セルのセットのうちの同じ仮想セルに対して、前記１つまたは複数のＵＥのうちのいくつかまたはすべてについての同じパラメータのセットに従って動作するための手段と
を備える、装置。
【請求項３９】
前記１つまたは複数のＵＥのうちの少なくとも１つによって干渉抑制または干渉キャンセルのうちの少なくとも１つを実行するための手段をさらに含む、
請求項３８に記載の装置。
【請求項４０】
前記干渉は、前記１つまたは複数の仮想セルのセットの間の少なくとも１つの仮想セルによる制御送信またはデータ送信のうちの少なくとも１つによって生じる、
請求項３９に記載の装置。
【請求項４１】
前記干渉抑制または干渉キャンセルのうちの少なくとも１つは、セルによる制御送信またはデータ送信のうちの少なくとも１つに対して実行される、
請求項３９に記載の装置。
【請求項４２】
前記仮想セルのセットを前記構成するための手段は、ユーザ機器（ＵＥ）固有のやり方またはセル固有のやり方のうちの少なくとも１つ中で前記仮想セルのセットを構成するための手段を含む、
請求項３８に記載の装置。
【請求項４３】
前記ＵＥ固有のやり方における前記仮想セルのセットを前記構成するための手段は、前記ＵＥからの基準信号受信電力レポートに基づいて前記仮想セルのセットを構成するための手段を含む、
請求項４２に記載の装置。
【請求項４４】
前記仮想セルのセットを構成するための手段は、１対１ベース、多対１ベース、または１対多ベースのうちの少なくとも１つで仮想セルから物理セルまたは物理パラメータのセットのうちの少なくとも１つにマップするための手段を含む、
請求項３８に記載の装置。
【請求項４５】
前記物理パラメータのセットは、
セル固有基準信号ポート、
セル固有基準信号周波数シフト、
エンハンスド物理ダウンリンク制御チャネルまたは物理ダウンリンク共有チャネルのうちの少なくとも１つのための開始シンボル、
１つまたは複数のチャネル状態情報基準信号構成、
キャリアタイプ、
または１つまたは複数の復調基準信号パターン
のうちの少なくとも１つを含む、請求項４４に記載の装置。
【請求項４６】
前記仮想セルのセットを前記構成するための手段は、アンテナポート７乃至１４のブラインド検出を許容するのに十分な程度にユーザ機器（ＵＥ）のために構成される前記仮想セルの数を限定するための手段を含む、
請求項３８に記載の装置。
【請求項４７】
前記仮想セルのセットを前記構成するための手段は、少なくとも構成されていないセルのための干渉抑制または干渉キャンセルのうちの少なくとも１つを実行するために、ユーザ機器（ＵＥ）に対してデフォルト行動を指定するための手段を含む、
請求項３８に記載の装置。
【請求項４８】
前記デフォルト行動を前記指定するための手段は、
前記ＵＥが物理セルアイデンティティおよびそれに関連付けられた物理パラメータに少なくとも基づいて干渉抑制または干渉キャンセルのうちの少なくとも１つを実行するべきであると指定するための手段、
セル間協調で構成された前記ＵＥが、ＰＤＳＣＨおよび／またはＥＰＤＣＣＨレートマッチングおよび／または擬似コロケーション動作のための構成のセットに基づいて干渉抑制または干渉キャンセルのうちの少なくとも１つを実行するべきであると指定するための手段
のうちのすくなくとも１つを含む、請求項４７に記載の装置。
【請求項４９】
前記ＵＥが物理セルアイデンティティに少なくとも基づいて干渉抑制または干渉キャンセルのうちの少なくとも１つを実行すべきであると前記指定するための手段は、前記ＵＥが前記物理セルアイデンティティと関連付けられた前記物理パラメータが有効であるか否かをブランドで検出すべきであると指定するための手段を含む、
請求項４８に記載の装置。
【請求項５０】
前記仮想セルのセットを前記構成するための手段は、制御チャネル、チャネル状態情報基準信号チャネル、およびデータチャネルで使用するために１つの仮想セルのセットを構成するための手段を含む、
請求項３８に記載の装置。
【請求項５１】
前記仮想セルのセットを前記構成するための手段は、
半静的である前記仮想セルのセットを構成するための手段、
または動的に前記仮想セルのセットを構成するための
手段
のうちの少なくとも１つを含む、請求項３８に記載の装置。
【請求項５２】
前記１つまたは複数の仮想セルの前記セットに関する情報を前記送信するための手段は、ダウンリンク制御情報における前記情報を動的にシグナリングするための手段を含む、
請求項５１に記載の装置。
【請求項５３】
前記仮想セルのセットを前記構成するための手段は、１つより多くの前記仮想セルのセットと物理セルを関連付けるための手段を含む、
請求項３８に記載の装置。
【請求項５４】
前記仮想セルのセットを前記構成するための手段は、干渉抑制または干渉キャンセルのうちの少なくとも１つを実行するために前記１つまたは複数のＵＥのための２つ以上のパラメータのセットと仮想セルを関連付けるための手段を含む、
請求項３８に記載の装置。
【請求項５５】
前記仮想セルのセットを前記構成するための手段は、レガシーキャリアタイプおよび非レガシーキャリアタイプの両方のための前記仮想セルのセットを構成するための手段を含む、
請求項３８に記載の装置。
【請求項５６】
前記仮想セルのセットを前記構成するための手段は、セル内で、干渉抑制または干渉キャンセルのうちの少なくとも１つを取り扱うために、同じサービングセルの物理セルアイデンティティに仮想セルをマップするための手段を含む、
請求項３８に記載の装置。
【請求項５７】
前記仮想セルのセットを構成するための手段は、合同または別々のうちの少なくとも１つでユーザ機器（ＵＥ）のためのセル間協調を構成するための手段をさらに含む、
請求項３８に記載の装置。
【請求項５８】
前記パラメータの少なくとも１つのセットのうちのパラメータの数は、前記仮想セルのセットのうちの前記仮想セルの様々なものについて同じまたは異なるもののうちの少なくとも１つである、
請求項３８に記載の装置。
【請求項５９】
前記１つまたは複数の仮想セルのセットのうちの少なくとも１つの仮想セルは、すべてのサブフレームまたは前記サブフレームうちのサブセットのうちの少なくとも１つに適用するために構成される、
請求項３８に記載の装置。
【請求項６０】
前記１つまたは複数の仮想セルのセットのうちの少なくとも１つの仮想セルは、全帯域幅または前記全帯域幅の一部分のうちの少なくとも１つに適用するために構成される、
請求項３８に記載の装置。
【請求項６１】
ワイヤレス通信を実行する装置であって、
ノードから、ユーザ機器（ＵＥ）のための、１つまたは複数の仮想セルのセットに関する情報を受信するための手段、ここにおいて、前記仮想セルのうちの１つまたは複数は、パラメータと関連付けられる、と、
前記ノードと通信するための手段と
を備え、前記通信は、前記仮想セルのうちの前記１つまたは複数とその関連付けられたパラメータのセットの間の少なくとも１つの仮想セルに少なくとも部分的に基づく、
装置。
【請求項６２】
前記ＵＥによって干渉抑制または干渉キャンセルのうちの少なくとも１つを実行することをさらに含む、
請求項６１に記載の装置。
【請求項６３】
干渉抑制または干渉キャンセルのうちの前記少なくとも１つは、セルによる制御送信またはデータ送信のうちの少なくとも１つのために実行される、
請求項６２に記載の装置。
【請求項６４】
前記少なくとも１つの仮想セルが１つまたは複数のリソース中に存在するかどうか決定するための手段と、
前記少なくとも１つの仮想セルが存在すると決定された場合に、前記１つまたは複数のリソースにおける、前記少なくとも１つの仮想セルによる制御送信またはデータ送信のうちの少なくとも１つによって生じた干渉のための干渉抑制または干渉キャンセルのうちの少なくとも１つを実行するための手段と
をさらに備える、請求項６１に記載の装置。
【請求項６５】
デフォルト行動に従って干渉抑制または干渉キャンセルのうちの少なくとも１つを実行するための手段をさらに含む、
請求項６１に記載の装置。
【請求項６６】
前記デフォルト行動は、前記少なくとも１つの仮想セルが１つまたは複数のリソースに存在していないと決定したときに実行される、
請求項６５に記載の装置。
【請求項６７】
前記デフォルト行動は、物理セルアイデンティティおよびそれに関連する物理パラメータに少なくとも基づいて干渉抑制または干渉キャンセルのうちの少なくとも１つを実行することを含む、
請求項６５に記載の装置。
【請求項６８】
前記デフォルト行動は、前記物理セルアイデンティティと関連付けられた前記物理パラメータが有効であるかどうかブラインドで検出することを含む、
請求項６７に記載の装置。
【請求項６９】
前記デフォルト行動は、セル間協調で構成されたＵＥが、
ＰＤＳＣＨまたはＥＰＤＣＣＨレートマッチングのうちの少なくとも１つのための構成のセット、
または擬似コロケーション動作
のうちの少なくとも１つに基づいて干渉抑制または干渉キャンセルのうちの少なくとも１つを実行することを含む、
請求項６５に記載の装置。
【請求項７０】
現在の仮想セルがそれに関連付けられたパラメータの１つの完全なセットを有するかどうか決定するための手段と、
前記現在の仮想セルがそれに関連付けられたパラメータの完全なセットを有さないと決定することに応じて、少なくとも１つの追加のパラメータを取得するための手段と
を備え、前記少なくとも１つの追加のパラメータを取得するための手段は、ブラインド検出を実行するための手段を含む、
請求項６１に記載の装置。
【請求項７１】
前記１つまたは複数の仮想セルのセットは、１対１ベース、多対１ベース、１対多ベースのうちの少なくとも１つ上で物理セルうちの少なくとも１つまたは物理パラメータのセットがマップされる少なくとも１つの仮想セルを含む、
請求項６１に記載の装置。
【請求項７２】
前記物理パラメータのセットは、
セル固有基準信号ポートの数、
セル固有基準信号周波数シフト、
エンハンスド物理ダウンリンク制御チャネルまたは物理ダウンリンク共有チャネルのうちの少なくとも１つのための開始シンボル、
１つまたは複数のチャネル状態情報基準信号構成、
キャリアタイプ、
または１つまたは複数の復調基準信号パターン
のうちの少なくとも１つを含む、請求項７１に記載の装置。
【請求項７３】
前記１つまたは複数の仮想セルのセットのうちの少なくとも１つの仮想セルは、すべてのサブフレーム、または前記サブフレームのサブセットのうちの少なくとも１つに適用するために構成される、
請求項６１に記載の装置。
【請求項７４】
前記１つまたは複数の仮想セルのうちの少なくとも１つの仮想セルは、全帯域幅または前記全帯域幅の一部分のうちの少なくとも１つに適用するために構成される、
請求項６１に記載の装置。
【請求項７５】
コンピュータに、１つまたは複数のユーザ機器（ＵＥ）のための１つまたは複数の仮想セルのセットを構成させるためのコード、ここにおいて、前記セットのうちの１つまたは複数の仮想セルは、パラメータの少なくとも１つのセットと関連付けられる、と、
コンピュータに、前記ＵＥに、前記１つまたは複数の仮想セルの前記セットに関する情報を送信させるためのコードと、
コンピュータに、前記１つまたは複数の仮想セルのセットのうちの同じ仮想セルに対して、前記１つまたは複数のＵＥのうちのいくつかまたはすべてについての同じパラメータのセットに従って動作させるためのコードと
を備える、コンピュータ可読媒体を備える、
コンピュータプログラム製品。
【請求項７６】
コンピュータに、ノードから、ユーザ機器（ＵＥ）のための、１つまたは複数の仮想セルのセットに関する情報を受信させるためのコード、ここにおいて、前記仮想セルのうちの１つまたは複数は、パラメータと関連付けられる、と、
コンピュータに、前記ノードと通信させるためのコードと
を備えるコンピュータ可読媒体を備え、前記通信は、前記仮想セルのうちの前記１つまたは複数とそれに関連付けられたパラメータのセットの間の少なくとも１つの仮想セルに少なくとも部分的に基づく、
コンピュータプログラム製品。
【請求項７７】
ワイヤレス通信を実行する基地局であって、
少なくとも１つのプロセッサと、
前記少なくとも１つのプロセッサに結合したメモリと
を備え、前記少なくとも１つのプロセッサは、
１つまたは複数のユーザ機器（ＵＥ）のための１つまたは複数の仮想セルのセットを構成すること、ここにおいて、前記セットのうちの１つまたは複数の仮想セルは、パラメータの少なくとも１つのセットと関連付けられる、と、
前記ＵＥに、前記１つまたは複数の仮想セルの前記セットに関する情報を送信することと、
前記１つまたは複数の仮想セルのセットのうちの同じ仮想セルに対して、前記１つまたは複数のＵＥのうちのいくつかまたはすべてについての同じパラメータのセットに従って動作することと
を行うように構成される、基地局。
【請求項７８】
ワイヤレス通信を実行するユーザ機器であって、
少なくとも１つのプロセッサと、
前記少なくとも１つのプロセッサに結合したメモリと
を備え、前記少なくとも１つのプロセッサは、
ノードから、ユーザ機器（ＵＥ）のための、１つまたは複数の仮想セルのセットに関する情報を受信すること、ここにおいて、前記仮想セルのうちの１つまたは複数は、パラメータと関連付けられる、と、
前記ノードと通信することと
を行うように構成され、前記通信は、前記仮想セルのうちの前記１つまたは複数とその関連付けられたパラメータのセットの間の少なくとも１つの仮想セルに少なくとも部分的に基づく、
ユーザ機器。
【発明の詳細な説明】
【関連出願の相互参照】
【０００１】
[0001]本出願は、その全体が参照により本明細書に明確に組み込まれる、２０１３年４月５日に出願された「VIRTUAL CELL MANAGEMENT FOR INTERFERENCE SUPPRESSION AND INTERFERENCE CANCELLATION IN LTE」と題する米国仮特許出願第６１／８０９，１２２号の利益を主張する。
【技術分野】
【０００２】
[0002]本開示の態様は、一般に、ワイヤレス通信システムに関し、より詳細には、ＬＴＥにおける干渉抑制および干渉キャンセルのための仮想セル管理に関する。
【背景技術】
【０００３】
[0003]ワイヤレス通信ネットワークは、音声、ビデオ、パケットデータ、メッセージング、ブロードキャスト、等のような様々な通信サービスを提供するために広く展開されている。これらのワイヤレスネットワークは、利用可能なネットワークリソースを共有することによって、複数のユーザをサポートすることができる多元接続ネットワークでありうる。このような多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交周波数分割多元接続（ＯＦＤＭＡ）ネットワークと、単一キャリアＦＤＭＡ（ＳＣ−ＦＤＭＡ）ネットワークとを含む。
【０００４】
[0004]ワイヤレス通信ネットワークは、多数のユーザ機器（ＵＥ）のための通信をサポートすることができる多数のｅノードＢを含みうる。ＵＥは、ダウンリンクおよびアップリンクを介してｅノードＢと通信し得る。ダウンリンク（またはフォワードリンク）は、ｅノードＢからＵＥへの通信リンクを指し、アップリンク（またはリバースリンク）はＵＥからｅノードＢへの通信リンクを指す。
【０００５】
[0005]ネットワークの発展型ノードＢ（ｅＮＢ）は、それらが一様にネットワークマネージャおよびユーザによるある大きなリソースとして取り扱われることができるように仮想セルとして互いにプールされうる。各仮想セルは、ＵＥを合同でサービスしうる物理セルのグループを含みうる。仮想セルは、マクロセルのセット、１つのマクロセル、中継器、等を含みうる。
【０００６】
[0006]４Ｇ  ＬＴＥアドバンストセル間協調（ＣｏＭＰ）システムは、セルエッジでさえも最適な性能が達成されることを保証するために、いくつかのポイントによって協調されたＵＥにデータを送り、ＵＥからデータを受信するように使用されうる。ＬＴＥ  ＣｏＭＰは、本質的に、多様な異なる基地局にわたる送信および受信の動的な協調を可能にする一連の異なる技術である。目的は、ユーザのための全体の品質を改善し、ネットワークの利用を改善することである。本質的に、ＬＴＥアドバンストＣｏＭＰは、特に、性能が低下するセル境界で、セル間干渉（ＩＣＩ）を有用な信号に変える。
【０００７】
[0007]ＣｏＭＰは、複数の送信モード、例えば、ジョイント処理（ＪＰ：Joint Processing）モード、動的ポイント選択（ＤＰＳ：dynamic point selection）、ジョイント受信、協調スケジューリング／ビームフォーミング（ＣＳ／ＣＢ）モード、等を有しうる。ＪＰモードでは、モバイルデバイスのためのダウンリンクデータは、いくつかのロケーションから同時に送信されうる（合同送信（Joint Transmission））。より単純な代替手段は、データがいくつかのロケーションで利用可能であるが、データが任意のある時間で１つのロケーションから一般に送信される、ＤＰＳである。ＣＳ／ＣＢモードでは、モバイルデバイスのためのダウンリンクデータは、典型的に利用可能であり、あるポイントから送信される。スケジューリングおよびオプションのビームフォーミング決定は、一般に、ＣｏＭＰセットにおけるすべてのセルの間で行なわれる。送信が実行されるロケーションは、半静的に変更されることができる。
【０００８】
[0008]ＣｏＭＰは、一般に、４つの異なる展開シナリオを有しうる：同種ネットワークｅＮＢ内ＣｏＭＰ（シナリオ１）；同種ｅＮＢ間ＣｏＭＰ（シナリオ２）；ｅＮＢが異なる物理セルアイデンティティ（ＰＣＩ）で構成される異種ネットワーク（シナリオ３）；ｅＮＢが同じＰＣＩで構成される異種ネットワーク（シナリオ４）。シナリオ１とシナリオ２は、両方とも同種ネットワークのためのものであり、光ファイバーがバックチャネル通信のための物理ノード間で展開されるかどうかで異なる。シナリオ２では、光ファイバーは、ｅＮＢに、より大きなエリアにわたってＣｏＭＰのためのリモート無線ヘッド（ＲＲＨ）を動作することを許容する。シナリオ３とシナリオ４は、両方とも異種ネットワークのためのものであるが、シナリオ４では、マクロセルのエリアにおける低電力送信機がマクロセルと同じ物理セルアイデンティティを共有することを可能にする点で異なる。
【０００９】
[0009]シナリオ１では、単一のｅＮＢ基地局の場所は、各々がセクタを担う、３つ以上のセルから成り立ちうる。このシナリオでは、ｅＮＢは、３つ以上のセルスケジューラの各々を制御しうる。このように、干渉を低減するために、２つのセルの間のエリアに位置する加入者のために別のセル中で使用される１つのセルにおけるリソースブロックを空白にする、またはｅＮＢのいくつかのセルによって合同送信をスケジュールすることが可能である。このＣｏＭＰアプローチは、他のエンティティへの外部通信が要求されないように実装するのが簡単である。しかしながらこのアプローチは、他のｅＮＢｓとの協調を欠く。その結果として、２つの異なるｅＮＢの２つのセルの間に位置するモバイルデバイスに対するデータレートは、改善されえない。
【００１０】
[0010]シナリオ２では、２つ以上のＲＲＨは、エリアにわたって分散され、光ファイバーリンクにわたって単一のｅＮＢに接続されうる。これらの光ファイバーリンクは、ＲＲＨが光信号から、その後アンテナを通じて送信される、電磁信号に変換する、完全に生成されたＲＦ信号をトランスポートしうる。このＣｏＭＰアプローチは、第１のアプローチよりはるかに大きなエリア中の送信ポイントを強調させることができるが、その実際的な実装は、ファイバーインフラストラクチャが中央ｅＮＢとＲＲＨを接続するために適所に置かれなければならないのでより困難になりうる。従来の銅線ベースのインフラストラクチャは、ＲＦ信号、ノードの間の協調のための低いレイテンシ要求、およびケーブル設置の長さによって要求される超高速データレートによりこの目的に対しては不十分になりうる。
【００１１】
[0011]シナリオ３および４では、別のＣｏＭＰアプローチは、ショッピングモールにおける異なるロケーションおよび建物の一部のような、ホットスポットをカバーするためにマクロセルのエリア中にいくつかの低電力送信機を利用する。このアプローチは、マクロセルを介して一般的なカバレージを達成し、とても限定された範囲を持つローカル送信機を介して局所的なトラフィックをオフロードすることで他の場所で干渉を低減する。実装は、２つの方法で実行されることができる。局所的な送信は、それら自身のセルＩＤを有し、したがって、モバイルデバイスの観点からすれば独立セルとして働きうる。しかしながらネットワークの観点からすれば、それらのセルは、シナリオ２などの場合、高電力出力の代わりに低電力出力を持つＲＲＨに類似する。別のオプションは、以上で定義されるように、低電力出力を持つが個別のセルＩＤを持たないＲＲＨを使用しうる。この場合では、局所信号は、モバイルデバイスのためのマクロセルカバレージと区別つかなくなる。再度、光ファイバーケーブル設置は、中央ｅＮＢに低い電力が供給される送信機を接続するように要求される。
【００１２】
[0012]干渉抑制および干渉キャンセルは、通信を改善する手段としてＵＥによって実行されうる。干渉抑制および干渉キャンセルのための多くの技術は、様々な方法で開発されており実装されている。一般的に、干渉抑制および干渉キャンセルは、セル内干渉とセル間干渉、同種ネットワークと異種ネットワーク、制御チャネルとデータチャネル、および広範囲の信号対干渉プラス雑音比（ＳＩＮＲ）値を考慮する必要がある。しかしながら、ＣｏＭＰの導入は、干渉抑制および干渉キャンセルに対して一般的に不都合な特徴のセットを導入する。
【発明の概要】
【００１３】
[0013]いくつかの態様では、ワイヤレス通信を実行するための方法は、１つまたは複数のユーザ機器（ＵＥ）のための１つまたは複数の仮想セルのセットを構成することを含み、セットのうちの１つまたは複数の仮想セルは、少なくとも１つのパラメータと関連付けられる。方法はさらに、１つまたは複数の仮想セルのセットに関して、ＵＥに、情報を送信することを含む。方法は、１つまたは複数の仮想セルのセットのうちの同じ仮想セルのために、１つまたは複数のＵＥのうちのいくつかまたはすべてのためのパラメータの同じセットに従って動作することをさらに含む。
【００１４】
[0014]他の態様では、ワイヤレス通信を実行する方法は、ユーザ機器（ＵＥ）のための、１つまたは複数の仮想セルのセットに関する情報をノードから受信することを含み、仮想セルのうちの１つまたは複数は、パラメータのセットと関連付けられる。方法は、ノードと通信することをさらに含み、通信は、仮想セルのうちの１つまたは複数の間の少なくとも１つの仮想セルとその関連付けられたパラメータのセットに少なくとも部分的に基づく。
【００１５】
[0015]追加の態様では、ワイヤレス通信を実行するための装置は、１つまたは複数のユーザ機器（ＵＥ）のための１つまたは複数の仮想セルのセットを構成するための手段を含み、セットのうちの１つまたは複数の仮想セルは、少なくとも１つのパラメータのセットと関連付けられる。装置は、ＵＥに、１つまたは複数の仮想セルのセットに関する情報を送信するための手段をさらに含む。装置はさらに、１つまたは複数の仮想セルのセットのうちの同じ仮想セルのために、１つまたは複数のＵＥのうちのいくつかまたはすべてに対するパラメータの同じセットにしたがって動作するための手段を含む。
【００１６】
[0016]さらなる態様では、ワイヤレス通信を実行するための装置は、ユーザ機器（ＵＥ）のための、１つまたは複数の仮想セルのセットに関する情報をノードから受信するための手段を含み、仮想セルのうちの１つまたは複数は、パラメータのセットと関連付けられる。装置は追加として、ノードと通信するための手段を含み、通信は、仮想セルのうちの１つまたは複数の間の少なくとも１つの仮想セルおよびその関連付けられたパラメータのセットに少なくとも部分的に基づく。
【００１７】
[0017]他の態様では、コンピュータプログラム製品は、コンピュータ可読媒体を含む。コンピュータ可読媒体は、コンピュータに、１つまたは複数のユーザ機器（ＵＥ）のための１つまたは複数の仮想セルのセットを構成することを行わせるコードを含み、１つまたは複数の仮想セルのセットは、少なくとも１つのパラメータのセットと関連付けられる。コンピュータ可読媒体は追加として、コンピュータに、１つまたは複数の仮想セルのセットに関する情報を、ＵＥに、送信させるためのコードを含む。コンピュータ可読媒体はさらに、コンピュータに、１つまたは複数の仮想セルのセットのうちの同じ仮想セルのための、１つまたは複数のＵＥのうちのいくつかまたはすべてのための同じパラメータのセットに従って動作させるためのコードを含む。
【００１８】
[0018]追加の態様では、コンピュータプログラム製品は、コンピュータ可読媒体を含む。コンピュータ可読媒体は、コンピュータに、１つまたは複数の仮想セルのセットに関するユーザ機器（ＵＥ）のための情報を、ノードから、受信させるためのコードを含み、仮想セルのうちの１つまたは複数は、パラメータのセットと関連付けられる。コンピュータ可読媒体は追加として、コンピュータに、ノードと通信させるためのコードを含み、通信は、仮想セルのうちの１つまたは複数の間の少なくとも１つの仮想セルとその関連するパラメータのセットに少なくとも部分的に基づく。
【００１９】
[0019]さらなる態様では、ワイヤレス通信を実行する基地局は、少なくとも１つのプロセッサと該少なくとも１つのプロセッサに結合したメモリとを含む。少なくとも１つのプロセッサは、１つまたは複数のユーザ機器（ＵＥ）のための１つまたは複数の仮想セルのセットを構成するように構成され、１つまたは複数の仮想セルのセットは、少なくとも１つのパラメータのセットと関連付けられる。少なくとも１つのプロセッサは追加として、ＵＥに、１つまたは複数の仮想セルのセットに関する情報を送信するように構成される。少なくとも１つのプロセッサはさらに、１つまたは複数の仮想セルのセットのうちの同じ仮想セルのために、１つまたは複数のＵＥのうちのいくつかまたはすべてのための同じパラメータのセットに従って構成される。
【００２０】
[0020]他の態様では、ワイヤレス通信を実行するユーザ機器は、少なくとも１つのプロセッサと該プロセッサに結合したメモリとを含む。少なくとも１つのプロセッサは、ユーザ機器（ＵＥ）のための、１つまたは複数の仮想セルのセットに関する情報を、ノードから受信するように構成され、仮想セルのうちの１つまたは複数は、パラメータのセットと関連付けられる。少なくとも１つのプロセッサは追加として、ノードと通信するようにさらに構成され、通信は、仮想セルのうちの１つまたは複数の間の少なくとも１つの仮想セルとその関連付けられたパラメータのセットに少なくとも部分的に基づく。
【００２１】
[0021]本開示のさまざまな態様および特徴が、以下でさらに詳細に説明される。
【図面の簡単な説明】
【００２２】
【図１】テレコミュニケーションシステムの例を概念的に説明するブロック図。
【図２】テレコミュニケーションシステムにおけるダウンリンクフレーム構造の例を概念的に説明するブロック図。
【図３】本開示の１つの態様にしたがって構成されるノードＢとＵＥの設計を概念的に説明するブロック図。
【図４】本開示の１つの態様にしたがう仮想セル構成を概念的に説明するブロック図。
【図５】基地局によってワイヤレス通信を実行するためのプロセスの例示のブロックを説明するブロック図。
【図６】ＵＥによってワイヤレス通信を実行するための処理のためのプロセスの例のブロックを説明するブロック例。
【発明を実施するための形態】
【００２３】
[0028]添付図面に関連して以下に記載される詳細な説明は、様々な構成の説明として意図され、本明細書に説明される概念が実現されうる唯一の構成を表すようには意図されない。詳細な説明は、さまざまな概念の完全な理解を提供する目的で、特定の詳細を含む。しかしながら、これらの概念がこれら特定の詳細なしに実現されうることは当業者にとって明らかであろう。いくつかの事例では、周知の構造およびコンポーネントは、このような概念を曖昧にすることを避けるために、ブロック図形式で示される。
【００２４】
[0029]本明細書に記述される技術は、ＣＤＭＡ、ＴＤＭＡ、ＦＤＭＡ、ＯＦＤＭＡ、ＳＣ−ＦＤＭＡ、および他のネットワークのような、さまざまなワイヤレス通信ネットワークのために使用されうる。用語「ネットワーク」および「システム」は、しばしば置換可能に使用される。ＣＤＭＡネットワークは、ユニバーサルテレストリアルラジオアクセス（ＵＴＲＡ）、ｃｄｍａ２０００、等のような無線技術を実装し得る。ＵＴＲＡは、広帯域ＣＤＭＡ（ＷＣＤＭＡ（登録商標））、およびＣＤＭＡの他の変形を含む。ＣＤＭＡ２０００は、ＩＳ−２０００規格、ＩＳ−９５規格、およびＩＳ−８５６規格をカバーする。ＴＤＭＡネットワークは、グローバルシステムフォーモバイル通信（ＧＳＭ（登録商標））のような無線技術を実装しうる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（Ｆｌａｓｈ−ＯＦＤＭ）、等の無線技法を実装しうる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明される。ｃｄｍａ２０００およびＵＭＢは、「第３世代パートナーシッププロジェクト２」（３ＧＰＰ２）と呼ばれる団体からの文書に説明される。本明細書で説明される技術は、上述されたワイヤレスネットワークおよび無線技術のみならず、他のワイヤレスネットワークおよび無線技術のために使用されうる。明確のために、技術のある態様は、ＬＴＥのために以下に記述され、ＬＴＥ技術は、以下の記述の大部分で使用される。
【００２５】
[0030]図１は、ＬＴＥネットワークでありうる、ワイヤレス通信ネットワーク１００を示す。ワイヤレスネットワーク１００は、多くの発展型ノードＢ（ｅノードＢ）１１０および他のネットワークエンティティを含みうる。ｅノードＢは、ＵＥと通信する局であり、基地局、アクセスポイント、等とも称されうる。ノードＢは、ＵＥと通信する局の別の例である。
【００２６】
[0031]各ｅノードＢ１１０は、特定の地理的エリアのための通信カバレージを提供し得る。３ＧＰＰにおいて、用語「セル」は、用語が使用されるコンテキストに依存して、このカバレージエリアをサービスするｅノードＢおよび／またはｅノードＢサブシステムのカバレージエリアに言及することができる。
【００２７】
[0032]ｅノードＢは、マクロセル、ピコセル、フェムトセル、および／または他のタイプのセルのための通信カバレージを提供しうる。マクロセルは、比較的大きい地理的領域（例えば、半径数キロメートル）をカバーし、サービスサブスクリプションを持つＵＥによる無制限のアクセスを可能にしうる。ピコセルは、比較的小さい地理的領域をカバーし、サービスサブスクリプションを持つＵＥによる無制限のアクセスを可能にしうる。フェムトセルは、比較的小さい地理的領域（例えば住宅）をカバーし、フェムトセルと関係を有するＵＥ（例えば、クロ−ズド加入者グループ（ＣＳＧ）内のＵＥ、住宅内のユーザのためのＵＥ、等）による制限されたアクセスを可能にしうる。マクロセルのためのｅノードＢは、マクロｅノードＢと称されうる。ピコセルのためのｅノードＢは、ピコｅノードＢと称されうる。フェムトセルのためのｅノードＢは、フェムトｅノードＢまたはホームｅノードＢと称されうる。図１に示される例では、ｅノードＢ１１０ａ、１１０ｂ、および１１０ｃはそれぞれ、マクロセル１０２ａ、１０２ｂ、および１０２ｃのためのマクロｅノードＢでありうる。ｅノードＢ１１０ｘは、ピコセル１０２ｘのためのピコｅノードＢでありうる。ｅノードＢ１１０ｙおよび１１０ｚは、それぞれフェムトセル１０２ｙおよび１０２ｚのためのフェムトｅノードＢでありうる。ｅノードＢは、１つまたは複数の（例えば３つの）セルをサポートしうる。
【００２８】
[0033]ワイヤレスネットワーク１００はさらに、中継局を含みうる。中継局は、アップストリーム局（例えば、ｅノードＢまたはＵＥ）からのデータおよび／または他のデータの送信を受信し、ダウンストリーム局（例えば、ＵＥまたはｅノードＢ）にデータおよび／または他のデータの送信を送信する局である。中継局はさらに、他のＵＥのための送信を中継するＵＥでありうる。図１に示される例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、中継器ｅノードＢ、中継器、等と称されうる。
【００２９】
[0034]ワイヤレスネットワーク１００は、例えば、マクロｅノードＢ、ピコｅノードＢ、フェムトｅノードＢ、中継器、等の異なるタイプのｅノードＢを含む異種ネットワークでありうる。これらの異なるタイプのｅノードＢは、ワイヤレスネットワークにおける、異なる送信電力レベル、異なるカバレージエリア、および干渉への異なる影響を有しうる。たとえば、マクロｅノードＢが高い送信電力レベル（たとえば、２０ワット）を有する一方、ピコｅノードＢ、フェムトｅノードＢ、および中継器は、より低い送信電力レベル（たとえば、１ワット）を有しうる。
【００３０】
[0035]ワイヤレスネットワーク１００は、同期または非同期動作をサポートしうる。同期動作に対して、ｅノードＢは、同様のフレームタイミングを有し、異なるｅノードＢからの送信は、時間においてほぼアラインされうる。非同期動作に対して、ｅノードＢは、異なるフレームタイミングを有し、異なるｅノードＢからの送信は、時間においてアラインされえない。本明細書に記述された技術は、同期および非同期動作の両方に使用されうる。
【００３１】
[0036]ネットワークコントローラ１３０は、ｅノードＢのセットに結合し、これらのｅノードＢのための調整および制御を提供しうる。ネットワークコントローラ１３０は、バックホールを介してｅノードＢ１１０と通信しうる。ｅＮＢｓ１１０はまた、例えば、ワイヤレスまたはワイヤーラインバックホールを介して直接的または間接的に、お互い通信しうる。
【００３２】
[0037]ＵＥ１２０は、ワイヤレスネットワーク１００全体にわたって分布され、各ＵＥは、ステイショナリーまたはモバイルでありうる。ＵＥはまた、端末、移動局、加入者ユニット、局、等と称されうる。ＵＥは、携帯電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、等を含みうる。ＵＥは、マクロｅノードＢ、ピコｅノードＢ、フェムトｅノードＢ、中継器、等と通信することができうる。図１では、両側矢印の実線は、ＵＥとサービングｅノードＢとの間の所望の送信を示し、サービングｅノードＢは、ダウンリンクおよび／またはアップリンク上でＵＥにサービスするように指定されたｅノードＢである。両側矢印の破線は、ＵＥとｅノードＢとの間の干渉する送信を示す。
【００３３】
[0038]ＬＴＥは、ダウンリンク上で直交周波数分割多重（ＯＦＤＭ）を利用し、アップリンク上で単一キャリア周波数分割多重（ＳＣ−ＦＤＭ）を利用する。ＯＦＤＭおよびＳＣ−ＦＤＭは、一般に、トーン、ビン、等と称されうる複数の（Ｋ）直交サブキャリアにシステム帯域幅を分割する。各サブキャリアは、データで変調されうる。一般に、変調シンボルは、ＯＦＤＭを持つ周波数領域およびＳＣ−ＦＤＭを持つ時間領域中で送られる。近隣サブキャリアの間の間隔は、固定され、サブキャリアの合計数（Ｋ）は、システム帯域幅に依存しうる。例えば、サブキャリアの間隔は、１５ｋＨｚであり、（リソースブロックと呼ばれる）最小のリソース割り振りは、１２個のサブキャリア（または１８０ｋＨｚ）でありうる。従って、ノミナルＦＦＴサイズは、１．２５、２．５、５、１０、または２０メガヘルツ（ＭＨｚ）のシステム帯域幅に対して、それぞれ、１２８、２５６、５１２、１０２４、または２０４８に等しくなりうる。システム帯域幅はまた、サブバンドに分割されうる。例えば、サブバンドは、１．０８ＭＨｚ（つまり６つのリソースブロック）をカバーし、１．２５、２．５、５、１０、または２０ＭＨｚのシステム帯域幅に対して、それぞれ１、２、４、８、または１６のサブバンドがありうる。
【００３４】
[0039]図２は、ＬＴＥにおける使用されるダウンリンクフレーム構成を示す。ダウンリンクのための送信タイムラインは、無線フレームの単位に分割されうる。各無線フレームは、所定の持続時間（例えば、１０ミリ秒（ｍｓ））を有し、０乃至９のインデクスを持つ１０個のサブフレームに分割されうる。各サブフレームは、２つのスロットを含みうる。したがって、各無線フレームは、０乃至１９のインデックスを持つ２０個のスロットを含みうる。各スロットは、Ｌ個のシンボル期間、例えば、（図２に示すような）通常のサイクリックプレフィックスに対して７個のシンボル期間、または拡張されたサイクリックプレフィックスに対して６個のシンボル期間を含みうる。各サブフレームにおける２Ｌ個のシンボル期間は、０乃至２Ｌ−１のインデックスが割り当てられうる。利用可能な時間周波数リソースは、リソースブロックに分割されうる。各リソースブロックは、１つのスロットにおいてＮ個のサブキャリア（例えば、１２個のサブキャリア）をカバーしうる。
【００３５】
[0040]ＬＴＥでは、ｅノードＢは、ｅノードＢにおける各セルのためにプライマリ同期信号（ＰＳＳ）とセカンダリ同期信号（ＳＳＳ）を送りうる。プライマリ同期信号およびセカンダリ同期信号は、図２に示されるように、通常のサイクリックプレフィックスを持つ各無線フレームのサブフレーム０および５の各々中の、シンボル期間６と５においてそれぞれ送られうる。同期信号は、セル検出および獲得のためにＵＥによって使用されうる。ｅノードＢは、サブフレーム０のスロット１におけるシンボル期間０乃至３において物理ブロードキャストチャネル（ＰＢＣＨ）を送りうる。ＰＢＣＨは、ある特定のシステム情報を搬送しうる。
【００３６】
[0041]ｅノードＢは、図２における全体の第１のシンボル期間に描かれているが、各サブフレームの第１のシンボル期間の一部のみで物理制御フォーマットインジケータチャネル（ＰＣＦＩＣＨ）を送りうる。ＰＣＦＩＣＨは、制御チャネルのために使用されるシンボル期間の数（Ｍ）を伝達し、ここで、Ｍは、１、２、または３に等しく、サブフレームごとに変わりうる。Ｍはまた、例えば、１０個未満のリソースブロックを持つ、小さなシステム帯域幅に対して４と等しくなりうる。図２に示される例において、Ｍ＝３である。ｅノードＢは、（図２においてＭ＝３となる）各サブフレームの第１のＭシンボル期間中に物理ＨＡＲＱインジケータチャネル（ＰＨＩＣＨ）と物理ダウンリンク制御チャネル（ＰＤＣＣＨ）を送りうる。ＰＨＩＣＨは、ハイブリッド自動伝送（ＨＡＲＱ）をサポートするために情報を搬送しうる。ＰＤＣＣＨは、ＵＥのためのアップリンクおよびダウンリンクのリソース割り振りに関する情報およびアップリンクチャネルのための電力制御情報を搬送しうる。図２における第１のシンボル期間において図示されていないが、ＰＤＣＣＨとＰＨＩＣＨはまた、第１のシンボル期間に含まれることが理解される。同様に、ＰＨＩＣＨおよびＰＤＣＣＨはまた、図２に示されていないが、第２のシンボル期間および第３のシンボル期間の両方にある。ｅノードＢは、各サブフレームの残りのシンボル期間において、物理ダウンリンク共有チャネル（ＰＤＳＣＨ）を送りうる。ＰＤＳＣＨは、ダウンリンク上でのデータ送信のために予定されたＵＥのためのデータを搬送しうる。ＬＴＥにおける様々な信号およびチャネルは、「Evolved Universal Terrestrial Radio Access (E-UTRA); Physical Channels and Modulation,」と題する、３ＧＰＰ ＴＳ ３６．２１１に説明されており、これは公に入手可能である。
【００３７】
[0042]ｅノードＢは、ｅノードＢによって使用されるシステム帯域幅の中心である１．０８ＭＨｚにおいて、ＰＳＣ、ＳＳＣ、およびＰＢＣＨを送りうる。ｅノードＢは、これらのチャネルが送られる各シンボル期間において、システム帯域幅全体にわたり、ＰＣＦＩＣＨおよびＰＨＩＣＨを送りうる。ｅノードＢは、システム帯域幅のある特定の部分においてＵＥのグループにＰＤＣＣＨを送りうる。ｅノードＢは、システム帯域幅の特定の部分において特定のＵＥにＰＤＳＣＨを送りうる。ｅノードＢは、すべてのＵＥにブロードキャスト方法でＰＳＳ、ＳＳＳ、ＰＢＣＨ、ＰＣＦＩＣＨおよびＰＨＩＣＨを送り、特定のＵＥにユニキャスト方法でＰＤＣＣＨを送り、また、特定のＵＥにユニキャスト方法でＰＤＳＣＨを送りうる。
【００３８】
[0043]多数のリソースエレメントは、各シンボル期間において利用可能でありうる。各リソース要素は、１つのシンボル期間において１つのサブキャリアをカバーし、実数値または複素数値でありうる、１つの変調シンボルを送るために使用されうる。各シンボル期間において基準信号のために使用されないリソース要素は、リソース要素グループ（ＲＥＧ）へ配置されうる。各ＲＥＧは、１つのシンボル期間における４つのリソース要素を含みうる。ＰＣＦＩＣＨは、４つのＲＥＧを占有し、それらは、シンボル期間０において、周波数にわたってほぼ均等に間隔をあけられうる。ＰＨＩＣＨは、３つのＲＥＧを占有し、それらは、１つまたは複数の設定可能なシンボル期間において、周波数にわたって拡散されうる。例えば、ＰＨＩＣＨのための３つのＲＥＧは、すべてシンボル期間０に属しうるか、またはシンボル期間０、１および２において拡散されうる。ＰＤＣＣＨは、９、１８、３２、または６４個のＲＥＧを占有し、それらは、最初のＭ個のシンボル期間において、利用可能なＲＥＧから選択されうる。ＲＥＧのある特定の組み合わせのみが、ＰＤＣＣＨに対して許可されうる。
【００３９】
[0044]ＵＥは、ＰＨＩＣＨおよびＰＣＦＩＣＨのために使用される特定のＲＥＧが既知でありうる。ＵＥは、ＰＤＣＣＨのためのＲＥＧの異なる組み合わせを探索しうる。探索する組み合わせの数は、典型的に、ＰＤＣＣＨに対して許可される組み合わせの数よりも少ない。ｅノードＢは、ＵＥが探索することになる組み合わせのうちのいずれかにおいてＵＥにＰＤＣＣＨを送信しうる。
【００４０】
[0045]ＵＥは、複数のｅノードＢのカバレージ内にあり得る。これらのｅノードＢのうちの１つが、ＵＥにサービスするために選択され得る。サービングｅノードＢは、受信電力、パスロス、信号対雑音比（ＳＮＲ）、等のようなさまざまな判定基準に基づいて選択され得る。
【００４１】
[0046]図３は、基地局／ｅノードＢ１１０およびＵＥ１２０の設計のブロック図を示し、これらは、図１における基地局／ｅノードＢのうちの１つ、およびＵＥのうちの１つでありうる。制限された関連付けシナリオに対して、ｅノードＢ１１０は、図１中のマクロｅノードＢ１１０ｃであり、ＵＥ１２０は、ＵＥ１２０ｙでありうる。基地局１１０は、アンテナ３３４ａ乃至３３４ｔを装備し、ＵＥ１２０は、アンテナ３５２ａ乃至３５２ｒを装備しうる。
【００４２】
[0047]基地局１１０で、送信プロセッサ３２０は、データソース３１２からデータを受信し、コントローラ／プロセッサ３４０から制御情報を受信しうる。制御情報は、ＰＢＣＨ、ＰＣＦＩＣＨ、ＰＨＩＣＨ、ＰＤＣＣＨ、等のためのものでありうる。データは、ＰＤＳＣＨ、等のためのものでありうる。プロセッサ３２０は、データシンボルと制御シンボルをそれぞれ取得するために、データと制御情報を処理しうる（例えば、符号化しシンボルマップする）。プロセッサ３２０はまた、例えば、ＰＳＳ、ＳＳＳ、およびセル固有基準信号のために基準シンボルを生成しうる。送信（ＴＸ）多入力／多出力（ＭＩＭＯ）プロセッサ３３０は、適用可能な場合、データシンボル、制御シンボル、および／または基準シンボル上で空間処理（例えばプリコーディング）を実行し、出力シンボルストリームを変調器（ＭＯＤ）３３２ａ乃至３３２ｔに提供する。各変調装置３３２は、出力サンプルストリームを取得するために（例えば、ＯＦＤＭ、等のための）個別の出力シンボルストリームを処理しうる。各変調装置３３２は、ダウンリンク信号を取得するために出力サンプルストリームをさらに処理しうる（例えば、アナログへ変換し、増幅し、フィルタに掛け、アップコンバートする）。変調器３３２ａ乃至３３２ｔからのダウンリンク信号は、それぞれアンテナ３３４ａ乃至３３４ｔを介して送信されうる。
【００４３】
[0048]ＵＥ１２０で、アンテナ３５２ａ乃至３５２ｒは、ｅノードＢ１１０からダウンリンク信号を受信し、それぞれ復調器（ＤＥＭＯＤ）３５４ａ乃至３５４ｒに受信した信号を提供しうる。各復調器３５４は、入力サンプルを取得するために、各受信信号を調整しうる（例えば、フィルタに掛け、増幅し、ダウンコンバートし、デジタル化する）。各復調器３５４は、（例えば、ＯＦＤＭ、等のための）受信シンボルを取得するために入力サンプルをさらに処理しうる。ＭＩＭＯ検出器３５６は、全ての復調器３５４ａ乃至３５４ｒから受信シンボルを取得し、適用可能な場合、受信したシンボル上でＭＩＭＯ検出を実行し、検出されたシンボルを提供しうる。受信プロセッサ３５８は、検出されたシンボルを処理し（例えば、復調し、デインタリーブし、復号し）、ＵＥ１２０のための復号データをデータシンク３６０に提供し、コントローラ／プロセッサ３８０に復号制御情報を提供しうる。
【００４４】
[0049]アップリンク上で、ＵＥ１２０で、送信プロセッサ３６４は、データソース３６２から（例えば、ＰＵＳＣＨのための）データと、コントローラ／プロセッサ３８０から（例えば、ＰＵＣＣＨのための）制御情報とを受信し処理しうる。送信プロセッサ３６４はまた、基準信号のための基準シンボルを生成しうる。送信プロセッサ３６４からのシンボルは、適用可能な場合、ＴＸ  ＭＩＭＯプロセッサ３６６によってプリコードされ、（例えば、ＳＣ−ＦＤＭ、等のために）変調器３５４ａ乃至３５４ｒによってさらに処理され、ｅＮＢ１１０に送信されうる。ｅノードＢ１１０で、ＵＥ１２０からのアップリンク信号は、ＵＥ１２０によって送られた復号されたデータおよび制御情報を取得するために、アンテナ３３４によって受信され、復調器３３２によって処理され、適用可能な場合、ＭＩＭＯ検出器３３６によって検出され、受信プロセッサ３３８によって処理されうる。受信プロセッサ３３８は、復号されたデータをデータシンク３３９に提供し、復号された制御情報をコントローラ／プロセッサ３４０に提供しうる。
【００４５】
[0050]コントローラ／プロセッサ３４０および３８０は、それぞれ、ｅノードＢ１１０およびＵＥ１２０での動作を指示しうる。ｅノードＢ１１０でのプロセッサ３４０および／または他のプロセッサおよびモジュールは、本明細書に記載された技術のための様々なプロセスのエグセキューションを実行するまたは指示しうる。ＵＥ１２０でのプロセッサ３８０および／または他のプロセッサおよびモジュールは、図５および６ｆに説明される機能ブロック、および／または、本明細書で記述される技術のための他のプロセスのエグゼキューションを実行または指示しうる。メモリ３４２および３８２は、それぞれｅノードＢ１１０およびＵＥ１２０のためのデータおよびプログラムコードを記憶しうるスケジューラ３４４は、ダウンリンクおよび／またはアップリンク上のデータ送信のためにＵＥをスケジュールしうる。
【００４６】
[0051]前に記述したように、ＣｏＭＰの導入は、干渉抑制および干渉キャンセルに対して一般に不都合な特徴のセットを導入する。これらの厄介な問題は、データ領域干渉キャンセルに関係する複雑さに一部分由来する。この複雑さは、以下で概説されるように、データ領域干渉キャンセル中の変化に由来する。
【００４７】
[0052]データ領域キャンセルでは、１つまたは複数の試みは、セルからの制御送信および／または固有データをキャンセルするように行われ、このタイプのキャンセルは、関係する変化の数に起因して多くの複雑さを含む。例えば、データ送信は、ユニキャストまたはブロードキャストであり、特定の送信と関付けられた無線ネットワーク仮識別子（ＲＮＴＩ）は、理論的には、１６ビットまでの任意の値でありうる。追加として、多数の送信スキーム（例えば、空間周波数ブロックコード（ＳＦＢＣ：space-frequency block code）ベースの送信、ランク１乃至８プリコード送信、等）が存在し、データ送信のための基準信号は、セル固有基準信号（ＣＲＳ）またはＵＥ固有基準信号（ＵＥ−ＲＳ）に基づきうる。さらに、セルアイデンティティは、物理セルアイデンティティまたは仮想セルアイデンティティであり、レートマッチングスキームは、様々なファクタに依存しうる。さらに、変調次数は、直交振幅変調（ＱＡＭ）の観点では、大幅に変わり（例えば１６ＱＡＭ、６４ＱＡＭ、２５６ＱＡＭ、等）、電力レベルは、任意の値でありえ、ＰＤＳＣＨのための３つのタイプのリソース割り振りがある。さらに、干渉は、特にセルにわたる個別の制御領域サイズを持つ、制御チャネルまたはデータチャネル（例えば、ＰＤＣＣＨ、ＥＰＤＣＣＨ、またはＰＤＳＣＨ）を含みうる。したがって、データ領域干渉キャンセルにおけるこれらの変化は、データ領域干渉キャンセルにおける複雑さをもたらし、それは、同様に、ＣｏＭＰに関連する厄介な問題をもたらす。
【００４８】
[0053]以上で述べられるように、ＣｏＭＰは、干渉抑制および／または干渉キャンセルに対して一般に不都合な特徴のセットと関連付けられる。例えば、ＵＥ固有割り当ての一部としてＲＳスクランブリングのために使用される１ビットスクランブリングコード識別子（ｎｓｃｉｄ）を含む、アンテナポート７−１４のためのＵＥ−ＲＳベースのスクランブリングのためのオプションが非常に限定された数であった。しかしながら、ＣｏＭＰは、送信モード１０を持つ追加のＵＥ固有情報を導入する。
【００４９】
[0054]送信モード１０は、ＣＲＳの代わりに、チャネル状態情報基準信号（ＣＳＩ−ＲＳ）およびＵＥ−ＲＳを使用してＭＩＭＯを提供することができる。送信モードは、セル無線ネットワーク仮識別子（Ｃ−ＲＮＴＩ）を使用してＰＤＳＣＨを復号するようにＵＥを構成するために、ｅノードＢによって使用されうる。ｅノードＢは、ＰＤＣＣＨおよびＰＤＳＣＨをプリコードおよび復号するためにセル中のＵＥに無線ネットワーク仮識別子（ＲＮＴＩ）を割り当てることができる。送信モード１０は、８本までのアンテナ上で送信されるＭＩＭＯのために構成されることができる。ランク（またはレイヤ）は、送信（または受信）のために使用されるアンテナの数を指すことができる。例えば、４のランクは、４本のアンテナのために構成されるＭＩＭＯ送信を指すことができる。４つのレイヤを使用することは、４本のアンテナまたは４つのアンテナポートのために構成されたＭＩＭＯ送信を指すことができる。送信モード１０は、ダウンリンク制御情報（ＤＣＩ）フォーマット２Ｄを含むことができ、それは、ＰＤＳＣＨリソースマッピングおよび疑似コロケーションインジケータ（ＰＱＩ：Quasi-Co-Location Indicator）を示すための少なくとも２ビットを含むことができる。ＰＱＩのための２ビットは、ｅＮＢに、例えば、ＰＤＳＣＨ開始シンボル、ＣＲＳポートの数、ＣＲＳ周波数シフト、非ゼロ電力ＣＳＩ−ＲＳ構成インデックス、等を含む、擬似コロケーションパラメータおよびＰＤＳＣＨリソースマッピングの４つまでのセットのうちの１つを動的に示すことを可能にすることができる。さらに、ＵＥ−ＲＳスクランブリングのためのセルアイデンティティは、もはや必ずしも物理セルアイデンティティでなく、ＵＥ依存になる。従って、セルから送信されたＰＤＳＣＨは、必ずしも物理セルアイデンティティと同じでなく、仮想セルアイデンティティになりうる。例えば、２つの仮想セルアイデンティティのための無線リソース制御構成を考慮すると、  
【００５０】
【数１】
2016518069.tif 000003
【００５１】
であり、ここで、ＤＣＩフォーマット２Ｄにおけるｎscid（ランク１または２）は、どれを使用するのかを示す。仮想セルアイデンティティの数が制限されない限り、ポート７−１４のブラインド検出は、非実用的であることが容易に認識されることができる。
【００５２】
[0055]ＣｏＭＰに関連する追加の厄介な問題はまた、干渉抑制および／または干渉キャンセルに対して存在する。例えば、ＰＤＳＣＨのためにレートマッチングは、典型的に、開始シンボル、ＣＲＳポートと周波数シフト、ＣＳＩ−ＲＳ構成、およびサブフレームタイプに依存する。例えば、サブフレームタイプは、多重ブロードキャスト単一周波数ネットワーク（ＭＢＳＦＮ）、非ＭＢＳＦＮ、ＴＤＤにおけるスペシャルサブフレーム、ＣＳＩ−ＲＳが存在するかどうか、ＰＳＳ／ＳＳＳ／ＰＢＣＨが存在するかどうか、等を含む。
【００５３】
[0056]ＰＤＳＣＨのための開始シンボルを取り扱うことは、送信モード１０において困難になりうる。例えば、ＵＥは、一般的にサービングセルのＰＣＦＩＣＨがサービングセルによるＰＤＳＣＨ送信の開始シンボルを決定すると前もって仮定することができた。しかしながら、送信モード１０であれば、開始シンボルオプションは、増加する。例えば、ＤＣＩフォーマット２Ｄであれば、開始シンボルは、４つの無線リソース制御（ＲＲＣ）構成のうちの１つを示す２ビットＰＱＩの次に来る。さらに、非ＭＢＳＦＮサブフレームおよびＰＤＣＣＨ中のＤＣＩフォーマット１Ａであれば、開始シンボルは、ＰＣＦＩＣＨの次に来る。さらに、非ＭＢＳＦＮサブフレームおよびＥＰＤＣＣＨ中のＤＣＩフォーマット１Ａであれば、開始シンボルは、ＥＰＤＣＣＨの次に来る。さらに、（ポート７に基づく）ＭＢＳＦＮサブフレーム中のＤＣＩフォーマット１Ａであれば、開始シンボルは、第１のＲＲＣ構成の次に来る。
【００５４】
[0057]ＣＲＳポートおよび周波数シフトを取り扱うことは、送信モード１０においてさらに困難になりうる。例えば、ＵＥは、ＣＴＳポートおよび周波数シフトがサービングセルＣＲＳに基づくと前もって仮定することができた。しかしながら、送信モード１０であれば、ＣＲＳポートおよび周波数シフトオプションは、増加する。例えば、ＤＣＩフォーマット２Ｄであれば、ＣＲＳポートおよび周波数シフトは、４つのＲＲＣ構成のうちの１つを示す２ビットＰＱＩの後に来る。さらに、非ＭＢＳＦＮサブフレーム中のＤＣＩフォーマット１Ａであれば、ＰＤＣＣＨ／ＥＰＤＣＣＨにかかわらず、ＣＲＳポートおよび周波数シフトは、サービングセルの後に来る。また、（ポート７に基づいて）ＭＢＳＦＮサブフレーム中のＤＣＩフォーマット１Ａであれば、ＣＲＳポートおよび周波数シフトは、ＰＱＩ中の第１のＲＲＣ構成の後に来る。
【００５５】
[0058]ＣＳＩ−ＲＳを取り扱うことは、送信モード１０において追加の厄介な問題である。例えば、ＵＥは、ＣＳＩ−ＲＳのために使用された同じ物理セルアイデンティティを推測することができたが、特に、以上で記述した仮想セルアイデンティティを持つ、ＵＥ固有構成は、そのような仮定を妨げる。また、ＵＥは、ＰＤＳＣＨレートがＵＥのための全てのＣＳＩ−ＲＳ構成と一致すると前もって仮定することができた。しかしながら、送信モード１０であれば、ＰＤＳＣＨレートは、ＵＥのために構成されたおよそすべてゼロパディング（ＺＰ）ＣＳＩ−ＲＳと一致するが、ＰＤＳＣＨレートは、ＤＣＩ  ２Ｄ中に動的に示される３つの非ゼロパディング（ＮＺＰ）構成の中のおよそ１つと一致する。また、ＤＣＩフォーマット１Ａであれば、ＭＢＳＦＮサブフレームでは、ＰＤＳＣＨレートは、ＲＲＣ構成中の第１の状態と一致するが、非ＭＢＳＦＮサブフレーム中のＤＣＩフォーマット１Ａでは、ＰＤＳＣＨレートは、最も低いＣＳＩ−ＲＳインデックスと一致する。
【００５６】
[0059]干渉抑制および／または干渉キャンセルのためのＣｏＭＰに関連する厄介な問題は、データを持つ制御の衝突にまでさらに及ぶ。例えば、制御領域は、様々なセルの間でアラインされえない。さらに、前に記述したように、ＰＤＳＣＨ開始シンボルは、ＰＣＦＩＣＨと共にアラインされえない。さらに、ＥＰＤＣＣＨは、ＰＤＳＣＨと衝突しうる。
【００５７】
[0060]ＣｏＭＰに関連する厄介な問題は、特にＰＤＳＣＨを持つＥＰＤＣＣＨの衝突にまで及びうる。例えば、ＥＰＤＣＣＨ開始シンボルは、送信モードに依存して、ＰＣＦＩＣＨまたはＲＲＣ構成に基づきうる。結果として、送信モード１−９に対して、ＰＣＦＩＣＨまたはＲＲＣのいずれかのために、ＵＥは、同じ開始シンボルがＰＣＦＩＣＨまたはＲＲＣのいずれかに基づくものであると仮定するが、同じ開始シンボルは、ＥＰＤＣＣＨおよびＰＤＳＣＨのために使用されうる。しかしながら、送信モード１０に対して、２つのＥＰＤＣＣＨセットの各々は、ＰＤＳＣＨのためのあるＲＲＣ構成から導出されたその開始シンボルを有する。さらに、ＥＰＤＣＣＨ仮想セルアイデンティティは、特にＵＥに構成され、ＥＰＤＣＣＨ依存である。結果として、ＰＤＳＣＨと同様に、ＥＰＤＣＣＨ仮想セルは、値の多数のセット（例えば異なる５０４までの値）から選択される結果として、ＥＰＤＣＣＨのための仮想セルアイデンティティの数が制限されていない限り、ＥＰＤＣＣＨのためのポート１０７乃至１１０のブラインド検出が非実用的になることは容易に認識されることができる。
【００５８】
[0061]図４は、概念的に仮想セル構成を説明するブロック図である。それに関して、マクロ基地局、マクロ１およびマクロ２は、３つの小規模セル、ＳＣ１、ＳＣ２、およびＳＣ３と、３つのＵＥ、ＵＥ１、ＵＥ２、およびＵＥ３と共に展開される。本開示の態様に従って、ｅＮＢは、ＵＥのための仮想セルのセットを構成することによってＵＥの干渉抑制および／または干渉キャンセルを支援し、各仮想セルは、物理パラメータの１つまたは複数のセットと明示的に関連付けられうる。例えば、仮想セルＸに対して、物理パラメータのセット、｛Ｐ１１、Ｐ１２、Ｐ１３｝が定義されうる。この例では、物理パラメータＰ１１は、ゼロに等しい周波数シフトを持つ２つのセル基準信号（ＣＲＳ）ポートを表し、物理パラメータＰ１２は、ＥＰＤＳＣＣＨ／ＰＤＳＣＨがシンボル３からスタートすることを表し、物理パラメータＰ１３は、４つのポートを持つチャネル状態情報（ＣＳＩ）構成インデックスを示しうる。さらに、物理パラメータの第２のセット、｛Ｐ２１、Ｐ２２（Ｐ２３｝は、仮想セルＸのために定義されうる。この例では、物理パラメータＰ２１は、ゼロに等しい周波数シフトを持つ２つのセル基準信号（ＣＲＳ）ポートを表し、物理パラメータＰ２２は、ＰＣＩと関連付けられたＰＣＦＩＣＨ値に基づく開始シンボルＥＰＤＣＣＨ／ＰＤＳＣＨを示し、物理パラメータＰ２３は、４つのポートを持つＣＳＩ構成インデックスを示しうる。他の仮想セルＹおよびＺは、それら自身の物理パラメータのセット、｛Ｐ３１、Ｐ３２、Ｐ３３｝、および｛Ｐ４１、Ｐ４２、Ｐ４３｝をそれぞれ有しうる。ＵＥ２に対して、ｅＮＢは、以下の表１に明示されるような仮想セルアイデンティティによってインデックスが付されたパラメータのセットのリスト、表、または他のデータ構造における仮想セルのセットを構成しうる。その後、２以上のパラメータセットが１つの仮想セルと関連付けられる場合、ＵＥ２は、どのセットがサブフレームにおいて使用されているか決定するためにブラインド検出を実行しうる。  
【００５９】
【表１】
2016518069.tif 000004
【００６０】
[0062]本開示の別の態様に従って、ｅＮＢは、ＵＥのための仮想セルのセットを構成することによってＵＥの干渉抑制および／または干渉キャンセルを支援し、各仮想セルは、物理パラメータの１つまたは複数のセットと暗黙的に関連付けられうる。例えば、ＣｏＭＰシナリオ３展開では、各ＵＥに対して、各仮想セルは、１つのＰＣＩにマップされ、すべての物理レイヤパラメータは、対応する物理セルに基づいて導出されうる。ｅＮＢが以下の表２に明示されるような仮想セルアイデンティティによってインデックスが付されたＰＣＩを含むリスト、表、または他のデータ構造として、１つまたは複数のＵＥのための仮想セルのセットの構成を生成しうることが想定される。  
【００６１】
【表２】
2016518069.tif 000005
【００６２】
[0063]ＣｏＭＰシナリオ４展開を含む別の例では、クラスタ中で、仮想セルは、各ＵＥのために同じＰＣＩにマップされうる。クラスタにわたって、各ＵＥのためのマッピングは、１対１、または多対１でありうる。ｅＮＢが以下の表３に明示されるような仮想セルアイデンティティによってインデックスが付されたＰＣＩを含むリスト、表、または他のデータ構造として、１つまたは複数のＵＥのための仮想セルのセットの構成を生成しうることが想定される。  
【００６３】
【表３】
2016518069.tif 000006
【００６４】
上の表３の例では、ＵＥ１およびＵＥ２がクラスタ中にあり、したがって、ＵＥ１およびＵＥ２のためのセット中に構成される仮想セルすべては、マクロ１のＰＣＩにマップされうる。しかしながら、クラスタにわたって、ＵＥ３は、仮想セルＸおよびＹのためのインデックスにマクロ１のためのＰＣＩの１対多マッピングを有し、仮想セルＺのためのインデックスにマクロ２のためのＰＣＩの１対１マッピングを有しうる。
【００６５】
[0064]図５は、基地局によってワイヤレス通信を実行するプロセスの例示のブロックを説明する機能ブロック図である。基地局は、ＵＥが干渉抑制および／または干渉キャンセルを実行するのを支援する。以下により詳細に記述されるように、基地局は、ブロック５００で、ＵＥのための仮想セルのセットを構成することと、ブロック５０２で、仮想セルのセットに関する情報をＵＥに送信することと、ブロック５０４で、すべてのＵＥのうちのいくつかのための同じパラメータのセットにしたがって同じ仮想セルのために動作することとによってＵＥを支援する。処理は、ブロック５０４から、例えばブロック５００のような、処理中のより初期のポイントに戻りうる。
【００６６】
[0065]ブロック５００で、基地局は、１つまたは複数のＵＥのための１つまたは複数の仮想セルのセットを構成しうる。前に記述するように、１つまたは複数の仮想セルのセットは、干渉抑制および／または干渉キャンセルを実行するために、ＵＥのためのパラメータの１つまたは複数のセットと関連付けられうる。いくつかの態様では、ブロック５００は、ＵＥ固有のやり方および／または展開シナリオ固有のやり方における仮想セルのセットを構成することを含みうる。例えば、基地局は、ＵＥからの基準信号受信電力レポートに基づいて仮想セルのセットを構成しうる。他の態様では、ブロック５００は、１対１ベース、多対１ベース、および／または１対多ベースで仮想セルから物理セルおよび／または物理パラメータのセットにマッピングすることを含みうる。物理パラメータのセットが多数のセル固有基準信号ポート、セル固有基準信号周波数シフト、および／またはＥＰＤＣＣＨ／ＰＤＳＣＨのための開始シンボルを含みうる。さらに、物理パラメータのセットが、１つまたは複数のチャネル状態情報基準信号構成、レガシーまたは非レガシーキャリアタイプのようなキャリアタイプ、および／または１つまたは複数の復調基準信号パターンを含みうる。追加の態様では、ブロック５００は、アンテナポート７−１４のブラインド検出を許容するのに十分な程度にＵＥのために構成された仮想セルの数を制限することを含みうる。
【００６７】
[0066]さらなる態様では、ブロック５００は、少なくとも構成されていないセルのための干渉抑制および／または干渉キャンセルを実行するために、デフォルト行動を指定することを追加または個別に含みうる。例えば、ＵＥは、物理セルアイデンティティおよび関連付けられた物理パラメータに基づく干渉抑制および／または干渉キャンセルを実行するべきであると指定される、または示されうる。物理セルアイデンティティを持つ近隣のセルのセットは、ＵＥによって検出され、干渉抑制および／または干渉キャンセルと、もしあれば、個別にまたは追加で構成仮想セルのセットを考慮しうる。例として、ＵＥは、その近隣に２つのＰＣＩ（ＰＣＩ０およびＰＣＩ１）を検出し、３つの仮想セル（ＶＣ０、ＶＣ１、ＶＣ２）でさらに構成される。ＵＥは、｛ＰＣＩ０、ＰＣＩ１、ＶＣ０、ＶＣ１、ＶＣ２｝および／または（干渉に関連するセル間単一ユーザおよび／またはマルチユーザＭＩＭＯのための）サービングセルに基づいて干渉抑制および／または干渉キャンセルを実行する。代替または追加として、ＣｏＭＰで構成されたＵＥは、ＰＤＳＣＨのための構成のセットおよび／またはＥＰＤＣＣＨレートマッチングおよび／または擬似コロケーション動作に基づいて干渉抑制および／または干渉キャンセルを実行するべきであると指定されるまたは示されうる。これらの態様では、ＵＥは、物理セルと関連付けられた物理パラメータが有効であるかどうかブラインドで検出する、および／または少なくとも１つの検出されたＰＣＩと少なくとも１つの構成された仮想セルとの間の一貫性チェック（consistency check）を実行するべきであると指定されるまたは示されることが想定される。これらの態様では、ＵＥは、指定またはインジケーションに基づく代わりに実装選択としてこれらの動作のうちのいくつかまたはすべてを実行すると決定しうる。
【００６８】
[0067]他の態様では、ブロック５００は、制御チャネル、チャネル状態情報基準信号チャネル、およびデータチャネルでの使用のために仮想セルのあるセットを構成することを含みうる。代替として、仮想セルの異なるセットは、異なるチャネルのために構成されうる。追加の態様では、ブロック５００は、半静的である仮想セルのセットを構成することまたは動的な仮想セルのセットを構成することを含みうる。動的構成の場合では、構成がブロック５０２でＤＣＩ中に示されることが想定される。さらなる態様では、ブロック５００は、仮想セルのうちの１つより多くの仮想セルと物理セルを関連付けること、および／または２つ以上のパラメータのセットと仮想セルを関連付けることを含みうる。ブロック５００で、仮想セルのセットは、レガシーおよび非レガシーキャリアタイプ両方のために構成されうることが想定される。構成がブロードキャストメッセージまたはユニキャストメッセージを介してＵＥに伝達されうることが想定される。
【００６９】
[0068]他の態様では、ブロック５００は、（例えば、シングルユーザＭＩＭＯおよび／またはマルチユーザＭＩＭＯ動作に起因する）セル間干渉抑制および／または干渉キャンセルを取り扱うために、同じサービングセルの物理セルアイデンティティに仮想セルをマッピングすることを含みうる。ブロック５００で、ＵＥのためのＣｏＭＰが、仮想セルのセットと共同でまたは個別に構成されうることが追加で想定される。また、ブロック５００で、パラメータの数およびまたはパラメータのセットが仮想セルのセットのうちの仮想セルの様々なものに対して同じまたは異なりうることが想定される。ブロック５００で、仮想セルは、すべてのサブフレーム、サブフレームのサブセット、全帯域幅、または全帯域幅の一部分への適用のために構成されうることがさらに想定される。構成パラメータのセットのためのインデックスとして仮想セルを使用することの代わりに構成がインデックスとして任意のパラメータに基づくことになることがさらに想定される。構成は、同様に任意のインデックス無しとなることができる。例として、構成は、パラメータの１つまたは複数のセットから単に成り、各セットは、１つまたは複数の物理および／または仮想セルアイデンティティより成る。ＵＥのために構成された仮想セルと関連付けられたパラメータのセットが、仮想セルと関連付けられた可能な動作のサブセットのみを表しうることがさらに想定される。すなわち、仮想セルと関連付けられたいくつかの他のパラメータは、構成の一部でなく、ＵＥに示されえない。ＵＥは、干渉抑制および／または干渉キャンセルのためのこれらの構成されないパラメータ（例えば、データチャネルのトラフィック対パイロット比）のうちの１つまたは複数をブランドで検出するおよび／または決定しなければならない。
【００７０】
[0069]図６は、ＵＥによってワイヤレス通信を実行するための処理の例示のブロックを説明するブロック図である。ブロック６００で、ＵＥのための、１つまたは複数の仮想セルのセットに関する、情報は、ノードから受信される。仮想セルのうちの１つまたは複数は、干渉抑制および／または干渉キャンセルを実行するＵＥのためのパラメータのセットと関連付けられうる。仮想セルのうちの１つまたは複数は、１つまたは複数の物理セルアイデンティティにマップされうる。情報が、ＤＣＩ、またはメッセージ／シグナリング／構成中に示されるように、基地局から受信されうることが想定される。処理は、ブロック６００からブロック６０２に進みうる。
【００７１】
[0070]ブロック６０２で、ＵＥは、ノードと通信しうる。通信は、仮想セルのうちの１つまたは複数の間の少なくとも１つの仮想セルとその関連付けられたパラメータのセットに少なくとも部分的に基づきうる。ブロック６０２は、いくつかのサブブロックから成りうる。
【００７２】
[0071]ブロック６０２Ａで、ＵＥは、現在の仮想セルがセットの一部として構成されるかどうか決定しうる。例えば、サブブロック６０２Ａは、仮想セルのセットにおけるテーブル、リスト、他のインデックスが付されたデータを参照することと、現在の仮想セルアイデンティティと一致するインデックスを見つけるように試みることとを含みうる。インデックスを見つけることに失敗した際、処理は、サブブロック６０２Ａからサブブロック６０２Ｂに進みうる。代替として、インデックスを見つけた際、処理は、サブブロック６０２Ａから６０２Ｃに進みうる。
【００７３】
[0072]ブロック６０２Ｂで、ＵＥは、１つまたは複数の仮想セルのセットの一部として構成されないと決定された仮想セルに対して、デフォルト行動にしたがって干渉抑制および／または干渉キャンセルを実行しうる。例えば、デフォルト行動が、ＵＥによって検出された、関連付けられた物理パラメータおよび物理セルアイデンティティに基づいて干渉抑制および／または干渉キャンセルを実行することを含みうることが想定される。追加として、デフォルト行動が、物理セルアイデンティティと関連付けられた物理パラメータが有効であるかどうか、ＵＥによってブラインドで検出することを含みうることが想定される。代替として、デフォルト行動が、ＰＤＳＣＨおよび／またはＥＰＤＣＣＨレートマッチングおよび／または擬似コロケーション動作のための構成のセットに少なくとも基づいて干渉抑制および／または干渉キャンセルを、セル間協調で構成されたＵＥによって、実行することを含みうることが想定される。デフォルト行動が、仮想セルのセット中で指定される、仮想セルのセットに関する情報とともに受信される、および／または常に用いられるデフォルト行動として標準によって指定されることがさらに想定される、または他のデフォルト行動が情報によって指定されない場合が想定される。処理は、ブロック６００のような、処理におけるより初期のポイントにブロック６０２Ｂから戻りうる。
【００７４】
[0073]ブロック６０２Ｃで、ＵＥは、現在のセルのためのパラメータのセットを、仮想セルのセットから取得しうる。例えば、パラメータのセットがテーブル、リスト、または現在の仮想セルアイデンティティによってインデックスが付されたロケーションでのインデックスが付された他のデータ構造から検索されうることが想定される。以上で記述されるように、パラメータは、明示的および／または暗示的なものでありうる。処理は、ブロック６０２Ｃからブロック６０２Ｄに進みうる。
【００７５】
[0074]ブロック６０２Ｄで、ＵＥは、現在の仮想セルが関連付けられた物理パラメータの１つの完全なセットを有するかどうか決定しうる。関連付けられた物理パラメータおよび／またはより上位のレイヤパラメータの１つの完全なセットがあると決定した場合、その後、処理は、ブロック６０２Ｄから６０２Ｆに進みうる。しかしながら、ＰＣＩおよび／またはパラメータの部分的なセットのみが提供される物理および／またはより上位レイヤパラメータの１つより多くのセットがあると決定した場合、その後、処理は、ブロック６０２Ｄから６０２Ｅに進みうる。
【００７６】
[0075]ブロック６０２Ｅで、ＵＥは、現在の仮想セルが関連付けられた物理パラメータおよび／またはより上位レイヤパラメータの１つの完全なセットを有していないと決定することに応じて、正しい物理および／またはより上位レイヤパラメータ、および／または追加の物理および／またはより上位レイヤパラメータを取得しうる。ブロック６０２Ｅで、正しい物理および／またはより上位レイヤパラメータ、または追加の物理および／またはより上位レイヤパラメータを取得することがどのパラメータのセットが正しいか決定する、および／または追加のパラメータを取得するためにブラインド検出を実行することを含みうることが想定される。処理は、ブロック６０２Ｅからブロック６０２Ｆに進みうる。
【００７７】
[0076]ブロック６０２Ｆで、ＵＥは、ブロック６０２Ｃおよび／または６０２Ｅで取得されたパラメータのセットに従って干渉抑制および／または干渉キャンセルを実行しうる。ブロック６０２Ｆで、ＵＥが、すべてのサブフレーム、サブフレームのサブセット、全帯域幅、および／または全帯域幅の一部分にパラメータのセットを適用しうることが想定される。処理は、ブロック６０２Ｆから、ブロック６００のような、処理におけるより初期のポイントに進みうる。
【００７８】
[0077]当業者は、情報と信号は、様々な異なるテクノロジと技術のうちのいずれかを用いて表されうることを理解するであろう。例えば、上記の記述を通じて言及されうるデータ、命令、コマンド、情報、信号、ビット、記号、およびチップは、電圧、電流、電磁波、磁場または磁性粒子、光場または工学粒子またはそれらの任意の組合せによって表されうる。
【００７９】
[0078]当業者は、本開示に関連して記述された様々な例示的な論理ブロック、モジュール、回路、およびアルゴリズムステップは、電子的ハードウェア、コンピュータソフトウェア、あるいはそれらの組合せとして実装されうるということを理解するだろう。ハードウェアおよびソフトウェアの互換性を明確に説明するために、様々な例示的なコンポーネント、ブロック、モジュール、回路、およびステップが、一般にそれらの機能の観点から以上で記述されている。このような機能が、ハードウェアまたはソフトウェアとして実装されるかどうかは、特定のアプリケーションおよび全体のシステムに課せられた設計の制限に依存する。当業者は、説明された機能を各特定のアプリケーションのために様々な方法で実装しうるが、そのような実装の判定は、本開示の範囲からの逸脱を引き起こしていると解釈されるべきではない。
【００８０】
[0079]本明細書における開示に関連して記述された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、ディスクリートハードウェアコンポーネント、または本明細書において記述された機能を実行するよう設計されたそれらの任意の組み合わせを用いて実装または実行されうる。汎用プロセッサは、マイクロプロセッサでありうるが、代替として、プロセッサは、任意の従来のプロセッサ、コントローラ、マイクロコントローラ、またはステートマシンでありうる。プロセッサはまた、計算デバイスの組み合わせ、例えば、ＤＳＰおよびマイクロプロセッサ、複数のマイクロプロセッサ、ＤＳＰコアと連携した１つまたは複数のマイクロプロセッサ、または任意の他のそのような構成の組み合わせとして実装されうる。
【００８１】
[0080]本明細書における開示に関連して記述された方法またはアルゴリズムのステップは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または、当技術分野において周知の記憶媒体の任意の他の形態に存在しうる。例証的な記憶媒体は、プロセッサが記憶媒体から情報を読み取り、記憶媒体に情報を書き込むことができるように、プロセッサに結合される。代替として、記憶媒体は、プロセッサと一体化されうる。プロセッサおよび記憶媒体は、ＡＳＩＣ内において存在しうる。ＡＳＩＣは、ユーザ端末内において存在しうる。代替として、プロセッサおよび記憶媒体は、ユーザ端末内における離散コンポーネントとして存在しうる。
【００８２】
[0081]１つまたは複数の典型的な設計において、説明される機能は、ハードウェア、ソフトウェア、ファームウェア、あるいはそれら任意の組み合わせで実装されうる。ソフトウェアに実装される場合、機能は、コンピュータ可読媒体上の１つまた複数の命令またはコードとして記憶または送信されうる。コンピュータ可読媒体は、コンピュータ記憶媒体と、ある場所から別の場所へコンピュータプログラムの転送を容易にする任意の媒体を含む通信媒体との両方を含む。記憶媒体は、汎用コンピュータまたは特殊目的コンピュータによってアクセスできる任意の利用可能な媒体でありうる。例として、また限定されないが、コンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気記憶デバイス、あるいは、命令あるいはデータストラクチャの形態において望まれるプログラムコード手段を保存あるいは搬送するために使用されることができる、また、汎用または専用コンピュータ、または、汎用または専用プロセッサによってアクセスされることができる、任意の他の媒体も備えることができる。また、任意の接続は、厳密にはコンピュータ可読媒体と称される。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技法を使用して送信される場合、同軸ケーブル、光ファイバーケーブル、ツイストペア、ＤＳＬ、あるいは赤外線、無線、およびマイクロ波のようなワイヤレス技法は送信媒体の定義に含まれる。本明細書で使用されるような、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、デフォルト磁気的にデータを再生し、一方ディスク（discs）は、レーザーを用いて光学的にデータを再生する。上記の組み合わせはまた、コンピュータ可読媒体の範囲に含まれるべきである。
【００８３】
[0082]特許請求の範囲を含む、本明細書で使用される場合、「および／または」という用語は、２つ以上の項目からなるリストで使用されるとき、リストされた項目のうちのいずれか１つがそれ自体によって採用されうること、あるいは、リストされた項目のうちの２つ以上からなる任意の組み合わせが採用されうることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含みうる。また、ここに使用されるように、特許請求の範囲を含む、「のうちの少なくとも１つ」で始まる項目のリストで使用される「または（ｏｒ）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリストを示す。
【００８４】
[0083]本開示の先の記述は、当業者が本開示を製造または使用することを可能にするよう提供される。本開示に対するさまざまな変更は、当業者に容易に理解され、本明細書において定義された一般的な原理は、本開示の精神または範囲から逸脱せずに、他の変形例に適用されうる。よって、本開示は、本明細書において説明される実例および設計に限定されるように意図されたものではなく、本明細書において開示された原理および新規の特徴と矛盾しない最大範囲であると認められるべきである。
【図１】
2016518069.tif 000007
【図２】
2016518069.tif 000008
【図３】
2016518069.tif 000009
【図４】
2016518069.tif 000010
【図５】
2016518069.tif 000011
【図６】
2016518069.tif 000012
【国際調査報告】
2016518069.tif 000013
2016518069.tif 000014
2016518069.tif 000015